(57)【要約】【課題】手が健康増進器具に堅固に固定されるようにすること。【解決手段】中央を貫通する貫通孔が形成されている本体と固定ベルトとを備え、固定ベルトはメインストラップと固定パッドとを有しており、メインストラップは本体の貫通孔内を貫通し、メインストラップの一端にはバックルが設けられ、かつ他端がバックルを貫通するとともに固定手段が設けられており、固定パッドがメインストラップの外に装着されて、固定パッドにおける本体とは反対側に固定手段が設けられており、メインストラップの固定手段と、固定パッドの固定手段とが対応して互いに固定される。【選択図】図１
0003137351.tif 000002
【実用新案登録請求の範囲】
【請求項１】
固定ベルト付き健康増進器具であって、
中央を貫通する貫通孔が形成されている本体と、
固定ベルトとを備え
前記固定ベルトはメインストラップと固定パッドとを有しており、メインストラップは本体の貫通孔内を貫通し、メインストラップの一端にはバックルが設けられ、かつ他端がバックルを貫通するとともに固定手段が設けられており、固定パッドがメインストラップの外に装着されて、固定パッドにおける本体とは反対側に固定手段が設けられており、メインストラップの固定手段と、固定パッドの固定手段とが対応して互いに固定されることを特徴とする、
固定ベルト付き健康増進器具。
【請求項２】
メインストラップの固定手段がフックテープであり、固定パッドの固定手段が相対するループテープであることを特徴とする、請求項１に記載の固定ベルト付き健康増進器具。
【請求項３】
固定パッドにおける本体に対向する側に軟質パッド体が設けられていることを特徴とする、請求項１または２に記載の固定ベルト付き健康増進器具。
【請求項４】
本体が中空の球状であり、本体の側壁には充填孔が貫通して形成されており、本体内部には砂鉄が充填され、充填孔中には充填孔を塞ぐキャップが設けられていることを特徴とする、請求項１ないし３のいずれか一項に記載の固定ベルト付き健康増進器具。
【考案の詳細な説明】
【技術分野】
【０００１】
本考案は健康増進器具であり、特に手で持ちやすくすることにより、腕の筋肉を鍛える健康増進器具に関するものである。
【背景技術】
【０００２】
一般的によく用いられている腕の筋肉を鍛える健康増進器具、例えばダンベルは、従来から金属材料で一体に製造されたソリッド状のダンベルであり、ダンベルの表面には手で持てるように内向きの窪みが形成されている。
しかし、窪みを設けても手で持てるようにするだけであって、手とダンベルとを互いに固定することはできない。またダンベルは一定の重量があることから、使用者の力が足りない、またはダンベルとの間の接触摩擦力が不足しているときには、使用者がダンベルを持ち続けることができなくなり、ダンベルを落とやすくなってしまう。
【０００３】
したがって、従来の技術、例えば米国特許第６，６５２，４２１号公報には、固定ベルト付きの健康増進器具を開発している。
この健康増進器具では、ストラップ（ｓｔｒａｐ  ２０）がボールの中央を貫通しており、ストラップの両端に面ファスナー（Ｖｅｌｃｒｏ  ２１）が設けられ、かつ保護パッド（ｐｒｏｃｔｅｃｔｉｖｅ  ｐａｄ  ２２）がストラップ上に装着されるとともにボールの外に設けられている。保護パッドの位置を調整することにより手の大きさに合わせ、次に両端の面ファスナーを貼り合せて手とボールとを互いに固定することで、ボールが落ちてしまうのを防止している。
しかしながら、保護パッドとストラップとは二つの独立した部品であり、かつ保護パッドはストラップ上に装着されているだけであり、面ファスナーは保護パッドには固定されておらず、二つの面ファスナーが貼り合された後でも、保護パッドが面ファスナーとボールとの間でずれてしまい、保護パッドの位置を固定することはできず、手とボールとを互いに堅固に固定することはできない。
【考案の開示】
【考案が解決しようとする課題】
【０００４】
前記した従来技術における欠点に鑑みて、本考案では健康増進器具の固定ベルトに改良を施して、手が健康増進器具に堅固に固定されるようにするものである。
【課題を解決するための手段】
【０００５】
前記考案の目的を達成するために、本考案で採用する技術的手段は、固定ベルト付きの健康増進器具を設計するものであり、
中央を貫通する貫通孔が形成されている本体と、
メインストラップと固定パッドとを有しており、メインストラップは本体の貫通孔内を貫通し、メインストラップの一端にはバックルが設けられ、かつ他端がバックルを貫通するとともに固定手段が設けられており、固定パッドがメインストラップの外に装着されて、固定パッドにおける本体とは反対側に固定手段が設けられており、メインストラップの固定手段と、固定パッドの固定手段とが対応して互いに固定される、固定ベルトと、を備えている。
【考案の効果】
【０００６】
本考案の利点は、メインストラップを本体内に貫通して設けるとともに、メインストラップの外に装着されている固定パッドで、手に適した緊締範囲で調節し、メインストラップを直接固定パッドと互いに固定する形態により、緊締した後における固定パッドの位置がずれることはなく、手は健康増進器具に堅固に固定されるようになる。
【考案を実施するための最良の形態】
【０００７】
図面および本考案の好ましい実施例について説明する。
【０００８】
図１および図２を参照されたい。本考案の健康増進器具は本体（１０）と、固定ベルト（２０）とを備えている。
【０００９】
前記本体（１０）は一定の重量を有しており、その中央を貫通して貫通孔（１１）が形成されている。本体（１０）は中空の球体とすることが可能で、本体（１０）の側壁面には充填孔（１２）が形成されており、砂鉄（１３）などの重量を増加させる物体を充填孔（１２）から本体（１０）内に充填するとともに、キャップ（１２１）で充填孔（１２）を塞ぐことで、本体（１０）に一定の重量を持たせることができる。
【００１０】
前記固定ベルト（２０）はメインストラップ（２１）を備え、メインストラップ（２１）は本体（１０）の貫通孔（１１）内を貫通するとともに貫通孔（１１）の外に延出しており、メインストラップ（２１）の一端縁にはバックル（２１１）が設けられており、メインストラップ（２１）の他端はバックル（２１１）を貫通するとともに表面上に固定手段が設けられている。前記固定手段はフックテープ（２１２）とすることができ、固定パッド（２２）はメインストラップ（２１）の外に装着されており、固定パッド（２２）における本体（１０）に対向する側には柔軟性材料製のパッド体（２２１）が設けられている。固定パッド（２２）における本体とは反対側には固定手段が設けられており、前記固定手段はメインストラップ（２１）の固定手段に対応するとともにループテープ（２２２）とすることができ、メインストラップ（２１）のフックテープ（２１２）および固定パッド（２２）のループテープ（２２２）とが相対して固定される。
【００１１】
図３ないし図５を参照されたい。使用者が本考案を手に緊締して使用したい場合、使用者は手を、固定パッド（２２）のパッド体（２２１）と本体（１０）の表面との間に通して、固定パッド（２２）の位置を調節するとともにメインストラップ（２１）がバックル（２１１）を貫通する長さを変えることで、パッド体（２２１）と本体（１０）との間の距離を、使用者の手のサイズに最も適した範囲にまで調整した後、更にフック、ループテープ（２１２）（２２２）とを相対させて貼り合わせる。固定範囲を調節するための固定パッド（２２）はメインストラップ（２１）に直接貼り合わされて固定されるので、手が本体（１０）に互いに堅固に固定される。
【００１２】
上述したものは、本考案の好ましい実施例に過ぎず、しかも本考案について何らかの形式上の制限を加えるものではない。本考案は好ましい実施例を上記のように開示したが、本考案を限定するためのものではなく、そして当業者においては、本考案の技術的思想を逸脱しない範囲内で、上記に開示した技術内容を用いて同等変化の同等効果としてのいくらかの変更または付加を施し実施例を行うことができるが、およそ本考案の技術的思想の内容を外れることはなく、本考案の実質的な技術に基づいて上記実施例について行う何らかの容易な修正、同等変化および付加は、いずれも本考案の技術的思想の範囲内に含まれるものである。
【図面の簡単な説明】
【００１３】
【図１】本考案の実施形態の立体外観図である。
【図２】本考案の側面断面図である。
【図３】本考案の実施形態の側面断面図である。
【図４】本考案の使用状態の概略図である。
【図５】本考案の他の実施形態の側面断面図である。
【符号の説明】
【００１４】
１０      本体
１１      貫通孔
１２      充填孔
１２１    キャップ
１３      砂鉄
２０      固定ベルト
２１      メインストラップ
２１１    バックル
２１２    フックテープ
２２      固定パッド
２２１    パッド体
２２２    ループテープ
【図１】
0003137351.tif 000003
【図２】
0003137351.tif 000004
【図３】
0003137351.tif 000005
【図４】
0003137351.tif 000006
【図５】
0003137351.tif 000007